(57)【要約】【課題】フォーカスエラー検出について非点収差法用を採用した光ピックアップにおいて従来より汎用されている光検出器及び光学系をそのまま使用しつつ、ランドプリピット信号及びウォブル信号を検出するための差動検出系の信号特性を改善する。【解決手段】光ディスク１０１からの反射光を反射させ、または、透過させることよって光ディスク１０１に向かう往路光と反射光とを分離させ反射光を光検出器９に導くビームスプリッタプリズム４と、このビームスプリッタプリズム４を経た反射光のファーフィールドパターンを受光する光検出器９とを備え、ビームスプリッタプリズム４は、光ディスク１０１のラジアル方向に相当する方向について反射特性、または、透過特性に分布を有しており、光ディスク１０１からの反射光における光ディスク１０１の外周側からの成分を反射光の光軸付近の成分よりも多く光検出器９に導く。【選択図】  図１
2007172713.tif 000002
【特許請求の範囲】
【請求項１】
光ディスク上に光束を集光させて照射して、光ディスクに情報信号を記録し、または、光ディスクに記録された情報信号を再生する光ピックアップであって、前記光ディスクからの反射光のファーフィールドパターンを前記光ディスクのラジアル方向に相当する方向に２分割して光強度を検出し、これら光強度の差動演算を行うことにより、前記光ディスクに形成されているランドプリピット及びウォブルに応じたランドプリピット信号及びウォブル信号を検出する光ピックアップにおいて、
前記光ディスクからの反射光を反射させ、または、透過させることよって前記光ディスクに向かう往路光と前記反射光とを分離させ、前記反射光を光検出器に導くハーフミラー素子と、
前記ハーフミラー素子を経た前記反射光のファーフィールドパターンを受光する光検出器と
を備え、
前記ハーフミラー素子は、前記光ディスクのラジアル方向に相当する方向について反射特性、または、透過特性に分布を有しており、前記光ディスクからの反射光における前記光ディスクの外周側からの成分を該反射光の光軸付近の成分よりも多く前記光検出器に導く
ことを特徴とする光ピックアップ。
【発明の詳細な説明】
【技術分野】
【０００１】
本発明は、光ディスク上に光束を集光させて照射し、情報信号を記録し、または、記録された情報信号を再生する光ピックアップに関する。
【背景技術】
【０００２】
従来、光ディスクに光束を集光させて照射し、この光ディスクの信号記録面上に光スポットを形成して、光ディスクへの情報信号の記録、または、光ディスクに記録された信号の再生を行う光ピックアップが提案されている。そして、いわゆる「ＤＶＤ−Ｒ」や「ＤＶＤ−ＲＷ」と称される規格の光ディスクに対応した光ピックアップにおいては、これら光ディスクからランドプリピット（ＬＰＰ）信号及びウォブル信号を検出するように構成されたものが提案されている。
【０００３】
ウォブル信号は、光ディスクの信号記録面上に形成されたグルーブが所定の周期で蛇行していることによって得られる信号であり、光ディスク上における同期情報等を示す信号として利用される。ランドプリピット信号は、光ディスクの信号記録面上に形成されたランドの一部が断続してランドプリピット（ＬＰＰ）となされていることによって得られる信号であり、光ディスク上のアドレス情報等を示す信号として利用される。ランドプリピットは、情報信号の記録または再生の対象となっているグルーブに対して、光ディスクの外周側に位置することとなっている。
【０００４】
これらランドプリピット信号及びウォブル信号は、光ディスクからの反射光のファーフィールドパターンを光検出器（ＰＤ）により受光し、光ディスクのラジアル方向に相当する方向に２分割して光強度を検出し、これら光強度の差動演算を行うことによって得ることができる。
【０００５】
ランドプリピット信号及びウォブル信号を検出できるように構成された光ピックアップとして、例えば、特許文献１には、特殊な受光領域を有する光検出器を用いることにより、ランドプリピット信号及びウォブル信号の特性を改善したものが記載されている。この光ピックアップにおいては、光検出器の受光領域を特殊な形状に設定することによって、ランドプリピット信号及びウォブル信号の検出に用いる受光領域に対するトラックパターン領域の割合が高くなるようにして、検出特性を改善している。
【０００６】
また、特許文献２には、光ディスクからの反射光の一部を遮光板により遮って受光することによって、アパーチャレイショの改善を図り、ランドプリピット信号及びウォブル信号を検出するようにした光ピックアップが記載されている。
【０００７】
【特許文献１】特開２００４−１１１００５公報
【特許文献２】特開２００４−１１０９３４公報
【発明の開示】
【発明が解決しようとする課題】
【０００８】
ところで、従来、光ピックアップにおいては、光ディスクからの反射光を反射させ、または、透過させることよって往路光と復路光（反射光）とを分離させて、光検出器に導くハーフミラー素子を使用している。このハーフミラー素子の特性である反射率は、往路の光利用効率及び復路の信号検出系における光量に影響するが、情報信号の記録を行う光ピックアップにおいては、主として光ディスク上に照射する光束のパワーを効率よく得ることを目的として設定されていた。また、従来の光ピックアップにおいては、ハーフミラー素子の特性については、Ｓ偏光成分の反射率の入射角度に対するばらつき範囲のみを規定していた。
【０００９】
しかし、ランドプリピット信号及びウォブル信号を検出するにあたっては、光ディスクからの反射光について、総和検出ばかりでなく、ファーフィールドパターンを光ディスクのラジアル方向に分割して差動信号を検出する。そのため、ハーフミラー素子の反射率が中央線を介した両側において互いに異なっていると、検出されるランドプリピット信号及びウォブル信号の特性に影響が生じ、あるパターンについては検出される信号の特性が劣化することになる。ところが、前述した従来の光ピックアップにおいては、ラジアル方向についてのハーフミラー素子の反射率の分布特性について、ファーフィールド分布への影響を考慮したものはなかった。
【００１０】
また、特許文献１に記載された光ピックアップにおいては、光検出器の受光領域を特殊な形状に設定することが必要であり、フォーカスエラー検出について非点収差法用を採用した光ピックアップにおいて従来より汎用されている光検出器をそのまま使用することができない。非点収差法用を採用した光ピックアップにおいて汎用されている光検出器は、受光領域が放射状に４分割されたものである。したがって、専用の光検出器を開発することが必要となり、製造の困難化、製造コストの高騰が招来される。
【００１１】
さらに、特許文献２に記載された光ピックアップにおいては、光ディスクからの反射光の一部を遮光板によって遮るため、特殊な光学系が必要となり、また、光検出器としてもランドプリピット信号の検出のための専用の受光領域を有するものが必要であり、従来より汎用されている光学系や光検出器を使用することができない。
【００１２】
そこで、本発明は、前述の実情に鑑みて提案されるものであって、フォーカスエラー検出について非点収差法用を採用した光ピックアップにおいて従来より汎用されている光検出器及び光学系をそのまま使用することができ、ランドプリピット信号及びウォブル信号を検出するための差動検出系の信号特性を改善することができる光ピックアップを提供することを目的とする。
【課題を解決するための手段】
【００１３】
前述の課題を解決し、前記目的を達成するため、本発明に係る光ピックアップは、以下の構成を有するものである。
【００１４】
本発明に係る光ピックアップは、光ディスク上に光束を集光させて照射して光ディスクに情報信号を記録し、または、光ディスクに記録された情報信号を再生する光ピックアップであって、光ディスクからの反射光のファーフィールドパターンを光ディスクのラジアル方向に相当する方向に２分割して光強度を検出しこれら光強度の差動演算を行うことにより光ディスクに形成されているランドプリピット及びウォブルに応じたランドプリピット信号及びウォブル信号を検出する光ピックアップにおいて、光ディスクからの反射光を反射させ、または、透過させることよって光ディスクに向かう往路光と反射光とを分離させ反射光を光検出器に導くハーフミラー素子と、このハーフミラー素子を経た反射光のファーフィールドパターンを受光する光検出器とを備え、ハーフミラー素子は、光ディスクのラジアル方向に相当する方向について反射特性、または、透過特性に分布を有しており、光ディスクからの反射光における光ディスクの外周側からの成分を該反射光の光軸付近の成分よりも多く光検出器に導くことを特徴とするものである。
【発明の効果】
【００１５】
本発明に係る光ピックアップにおいては、光ディスクからの反射光を反射させ、または、透過させることよって光ディスクに向かう往路光と反射光とを分離させ反射光を光検出器に導くハーフミラー素子は、光ディスクのラジアル方向に相当する方向について反射特性、または、透過特性に分布を有しており、光ディスクからの反射光においてランドプリピット信号の読み取りに使用する光ディスクの外周側からの成分を該反射光の光軸付近の成分よりも多く光検出器に導くので、いわゆる「ＤＶＤ−Ｒ」や「ＤＶＤ−ＲＷ」と称される規格の光ディスクに対する記録再生を行う光ピックアップにおいて、光検出器上の光パターンの強度分布が差動信号の形成に有利な特性となり、記録型ディスクのアドレス等の信号を形成するのに重要なランドプリピット信号やウォブル信号の検出特性（レベル）の改善を図ることができる。
【００１６】
すなわち、本発明は、フォーカスエラー検出について非点収差法用を採用した光ピックアップにおいて従来より汎用されている光検出器及び光学系をそのまま使用することができ、ランドプリピット信号及びウォブル信号を検出するための差動検出系の信号特性を改善することができる光ピックアップを提供することができるものである。
【発明を実施するための最良の形態】
【００１７】
以下、本発明を実施するための最良の実施の形態について、図面を参照して詳細に説明する。
【００１８】
図１は、本発明に係る光ピックアップの構成を示す側面図である。
【００１９】
この光ピックアップは、いわゆる「ＣＤ」と称される規格の光ディスクからの情報信号の再生と、いわゆる「ＤＶＤ−Ｒ」や「ＤＶＤ−ＲＷ」と称される規格の光ディスクに対する情報信号の記録再生を行う光ピックアップである。
【００２０】
この光ピックアップは、光源として、「ＣＤ」用のレーザダイオード１及び「ＤＶＤ」用のレーザダイオード２を有している。これら各レーザダイオード１，２からのレーザ光は、ダイクロイックミラー３によって合成され、ハーフミラー素子であるビームスプリッタプリズム４の反射面を透過する。
【００２１】
各レーザダイオード１，２からのレーザ光は、ビームスプリッタプリズム４の反射面に対してＰ偏光となっており、この反射面のＰ偏光に対する透過率Ｔｐに応じて、この反射面を透過し、コリメータレンズ５に入射される。なお、ビームスプリッタプリズム４の反射面のＰ偏光に対する反射率Ｒｐに応じてこの反射面において反射されたレーザ光は、図示しない出力モニタ用光検出器（ＰＤ）により受光される。
【００２２】
コリメータレンズ５に入射したレーザ光は、このコリメータレンズ５によって平行光束となされ、〔λ／４〕（四分の一波長）板６を透過して、対物レンズ７に入射される。レーザ光は、〔λ／４〕板６を透過することによって円偏光となされている。対物レンズ７は、入射されたレーザ光を光ディスク１０１の信号記録面上に集光させ、光スポットを形成する。
【００２３】
このようにして光ディスク１０１上の信号記録面に形成された光スポットからの反射光（戻り光）により、信号記録面上に形成されたピットや、有機膜、相変化媒体等によって記録された情報信号の読取りがなされ、また、種々のサーボ動作を行うための光ディスク１０１に形成されているランドプリピット及びウォブルに応じたランドプリピット（ＬＰＰ）信号及びウォブル信号の読取りがなされる。
【００２４】
すなわち、光ディスク１０１の信号記録面からの反射光は、対物レンズ７、〔λ／４〕板６を経て、コリメータレンズ５を介して、ビームスプリッタプリズム４に入る。このとき、光ディスク１０１からの反射光は、ビームスプリッタプリズム４の反射面に対してＳ偏光となっており、この反射面のＳ偏光に対する反射率Ｒｓに応じて、この反射面により反射される。
【００２５】
ビームスプリッタプリズム４において反射された反射光は、フォーカスエラー信号を検出するための非点収差光学系（シリンドリカルレンズ）８を経て、光検出器（ＰＤ）９に入射する。なお、この実施の形態においては、光源からのレーザ光がビームスプリッタプリズム４を透過し、光ディスク１０１からの反射光がビームスプリッタプリズム４によって反射されるようにしているが、光源からのレーザ光がビームスプリッタプリズム４により反射されて光ディスク１０１に向かい、光ディスク１０１からの反射光がビームスプリッタプリズム４を透過して非点収差光学系８に入射されるように構成してもよい。
【００２６】
光検出器９の受光面は、放射状に４つの受光領域に分割されており、対角に位置する２組の受光領域からの信号のそれぞれの和信号を求め、これら和信号を差動演算することにより、非点収差法によるフォーカスエラー信号が形成される。また、光ディスク１０１のラジアル方向（径方向）に相当する方向について、一方側に位置する２つの受光領域からの信号の和信号と、他方側に位置する２つの受光領域からの信号の和信号とを求め、これら和信号を差動演算することにより、プッシュプル法によるトラッキングエラー信号が生成され、さらに、ランドプリピット（ＬＰＰ）信号及びウォブル信号が形成される。
【００２７】
情報信号の記録が可能となされた「ＤＶＤ」規格の光ディスクにおいては、アドレス信号としてランドプリピット信号が記録され、ＣＬＶ制御するための同期信号としてウォブル信号が記録されている。ランドプリピット信号は、未記録の光ディスクからのアドレス信号の読み取りに使用されるが、すでに記録されている領域に続いてつなぎ記録をするためにも使用される。したがって、記録済み領域でのランドプリピット信号の読み取り性能は重要であり、記録済み領域から読み出されるランドプリピット信号の品位は、アパーチャレイショとして示される。
【００２８】
図２は、光ディスクの信号記録面上に形成される光スポットからの反射光の光検出器における受光スポットの形状、反射光のファーフィールドパターン及び信号記録面上における光スポットとグルーブとの位置関係を示す平面図である。
【００２９】
図２における上の欄は、ランドプリピット（ＬＰＰ）を光スポットがスキャンしている状態を示している。ランドプリピットは、信号記録面上のグルーブに隣接したランド上に形成されており、グルーブと同じ深さを有して２Ｔ幅で形成されている。ランドプリピットは、対応するグルーブに対して、光ディスクの外周側となる位置に形成されている。このとき、ランドプリピットが形成された側のファーフィールドパターン（図２中の中央の図）は、暗くなる。
【００３０】
図２における下の欄は、ランドプリピット（ＬＰＰ）のないグルーブを光スポットがスキャンしている状態を示している。ファーフィールドパターン（図２中の中央の図）は、両側が対象の光強度分布となっている。
【００３１】
光検出器においては、反射光のファーフィールドパターンに対応した光強度分布が電気信号に変換されて出力される。したがって、光スポットがランドプリピットをスキャンしている状態においては、反射光のファーフィールドパターンにおいて、光ディスクの外周側に対応する方向の光強度分布が下がり、ランドプリピットがあることが検出される。
【００３２】
図３は、光ディスクの未記録部において、差動演算により検出されたウォブル信号とランドプリピット信号の波形を示す波形図であり、図３中の（ｂ）は図３中の（ａ）の拡大図である。
【００３３】
ランドプリピット信号を求めるための差動演算は、反射光のファーフィールドパターンにおいて、〔光ディスクの外周側からの反射光量〕−〔光ディスクの内周側からの反射光量〕という演算である。図３中の（ａ）及び（ｂ）において、グルーブの外周側のランドプリピットによって現れた信号は、出力が下側に変化している部分である。
【００３４】
図４は、ビームスプリッタプリズム４の反射及び透過特性を示す側面図である。
【００３５】
ところで、この光ピックアップにおいて使用されているビームスプリッタプリズム４は、２波長用ビームスプリッタプリズムである。通常、２波長用ビームスプリッタプリズムの特性は、反射面における偏光方向で規定されている。キューブ型のビームスプリッタプリズム４では、Ｔｐ（Ｐ偏光の透過率）、Ｒｐ（Ｐ偏光の反射率）、Ｔｓ（Ｓ偏光の透過率）、Ｒｓ（Ｓ偏光の反射率）によって仕様が規定される。また、拡散光中において使用するビームスプリッタプリズムについては、その入射角度における透過率及び反射率によって仕様が規定される。
【００３６】
ビームスプリッタプリズム４の特性は、光ディスク１０１に対する情報信号の記録に必要な光パワーが得られるような往路光の効率と、光ディスク１０１からの反射光が必要な光量で光検出器９に導くことができるような復路光の状態とに基づいて設定される。しかし、ビームスプリッタプリズム４の特性は、生産工程においてバラつきを生じるため、各々の仕様値には、必要な性能と量産歩留まりとに鑑みた許容値が規定される。
【００３７】
ビームスプリッタプリズム４の特性のうち、前述した構成の光ピックアップにおける再生特性に関係する重要な特性は、Ｒｓ（Ｓ偏光の反射率）である。Ｒｓ（Ｓ偏光の反射率）は、光ディスク１０１からの反射光を光検出器によって受光するための特性を支配している。また、前述した構成の光ピックアップにおいては、ビームスプリッタプリズム４には拡散光が透過しているため、反射面での入射角度が場所によって異なっている。したがって、単にＲｓ（Ｓ偏光の反射率）のバラつきだけでなく、入射角度に対する依存特性も重要となる。
【００３８】
本発明に係る光ピックアップにおいては、ビームスプリッタプリズム４は、光ディスク１０１のラジアル方向に相当する方向についてＲｓ（Ｓ偏光の反射率）特性（または、Ｔｐ（Ｐ偏光の透過率）特性）に分布を有しており、光ディスク１０１からの反射光における光ディスク１０１の外周側からの成分を、この反射光の光軸付近の成分よりも多く、光検出器９に導くように構成されている。
【００３９】
この光ピックアップにおいては、光ディスクからの反射光は、コリメータレンズ５によって収束光となされて、ビームスプリッタプリズム４に入射する。そして、ビームスプリッタプリズム４のＲｓ（Ｓ偏光の反射率）特性は、反射光の入射角度によって変わる。反射光の光軸上に位置する光線は、反射面に対する入射角は４５°である。そして、反射光において光軸からずれた光線は、この光ピックアップにおいては、４５°±６°の範囲で入射角が異なる。
【００４０】
そして、ビームスプリッタプリズム４において、反射面に対する入射角が４５°＋６°（５１°）である光線と、入射角が４５°−６°（３９°）である光線とで、Ｒｓ（Ｓ偏光の反射率）が異なる特性を有するものとして、検出されるランドプリピット信号のレベルを算出した。この光ピックアップにおいては、反射面に対する入射角が４５°＋６°（５１°）である光線は、光軸上の光線よりも光ディスク１０１の外周側のファーフィールドパターンにあたり、反射面に対する入射角が４５°−６°（３９°）である光線は、光軸上の光線よりも光ディスク１０１の内周側のファーフィールドパターンにあたる。
【００４１】
図５は、ビームスプリッタプリズム４のＲｓ（Ｓ偏光の反射率）特性と、ランドプリピット信号の検出特性との関係を示すグラフである。
【００４２】
図６は、ビームスプリッタプリズム４のＲｓ（Ｓ偏光の反射率）の入射角に対する特性を示すグラフである。
【００４３】
光ディスク１０１の外周側のファーフィールドパターンと光ディスク１０１の内周側のファーフィールドパターンとで、ビームスプリッタプリズム４のＲｓ（Ｓ偏光の反射率）特性が異なる６種類のパターンについてランドプリピット信号のレベルを算出した結果が図５である。この反射率特性は、図６に示すように、中心値を９％として、中心部より側方に向けて直線的に変化しているものとして計算した。
【００４４】
図７は、ランドプリピット信号のレベルの計算において非点収差を生じた光束の強度分布パターン及びランドプリピット信号を算出する回路を示すブロック図である。
【００４５】
光ディスク１０１からの反射光は、非点収差光学系８によって非点収差を付与されているので、ランドプリピット信号のレベルの計算においては、図７に示すように、非点収差を生じた光束の強度分布パターンに、Ｒｓ（Ｓ偏光の反射率）を乗じて総和をとった。ランドプリピット信号は、図７に示すように、光ディスク１０１の外周側のファーフィールドパターンと光ディスク１０１の内周側のファーフィールドパターンとの差動演算によって求められるものとして計算した。
【００４６】
光ディスク１０１の外周側のファーフィールドパターンと光ディスク１０１の内周側のファーフィールドパターンとで、ビームスプリッタプリズム４のＲｓ（Ｓ偏光の反射率）が同一である場合には、これらＲｓの光軸上の光線に対する比率（反射率比）がそれぞれ０％であり、図５中の〔０％／０％〕として示すように、一定のレベルのランドプリピット信号が得られる。この状態は、従来の光ピックアップと同様である。
【００４７】
そして、光ディスク１０１の外周側のファーフィールドパターンについて、光ディスク１０１の内周側のファーフィールドパターンよりも、ビームスプリッタプリズム４のＲｓ（Ｓ偏光の反射率）を高くし、これらＲｓの光軸上の光線に対する比率（反射率比）をそれぞれ＋１１％及び−１１％とした場合には、図５中の〔＋１１％／−１１％〕として示すように、前述した従来の光ピックアップよりも、高いレベルのランドプリピット信号が得られる。
【００４８】
さらに、光ディスク１０１の外周側のファーフィールドパターンについて、光ディスク１０１の内周側のファーフィールドパターンよりも、ビームスプリッタプリズム４のＲｓ（Ｓ偏光の反射率）をさらに高くし、これらＲｓの光軸上の光線に対する比率（反射率比）をそれぞれ＋２２％及び−２２％とした場合には、図５中の〔＋２２％／−２２％〕として示すように、前述した従来の光ピックアップよりも、さらに高いレベルのランドプリピット信号が得られる。
【００４９】
逆に、光ディスク１０１の外周側のファーフィールドパターンについて、光ディスク１０１の内周側のファーフィールドパターンよりも、ビームスプリッタプリズム４のＲｓ（Ｓ偏光の反射率）を低くし、これらＲｓの光軸上の光線に対する比率（反射率比）をそれぞれ−１１％及び＋１１％とした場合には、図５中の〔−１１％／＋１１％〕として示すように、前述した従来の光ピックアップよりも、低いレベルのランドプリピット信号しか得られない。
【００５０】
さらに、光ディスク１０１の外周側のファーフィールドパターンについて、光ディスク１０１の内周側のファーフィールドパターンよりも、ビームスプリッタプリズム４のＲｓ（Ｓ偏光の反射率）をさらに低くし、これらＲｓの光軸上の光線に対する比率（反射率比）をそれぞれ−２２％及び＋２２％とした場合には、図５中の〔−２２％／＋２２％〕として示すように、前述した従来の光ピックアップよりも、さらに低いレベルのランドプリピット信号しか得られなくなる。
【００５１】
また、光ディスク１０１の外周側及び内周側のファーフィールドパターンについて、光軸上の光線よりも、ビームスプリッタプリズム４のＲｓ（Ｓ偏光の反射率）を高くし、これらＲｓの光軸上の光線に対する比率（反射率比）をそれぞれ＋２２％及び＋２２％とした場合には、図５中の〔＋２２％／０％／＋２２％〕として示すように、前述した従来の光ピックアップよりも、高いレベルのランドプリピット信号が得られる。
【００５２】
このように、光ディスク１０１の外周側及び内周側のファーフィールドパターンについて、光軸上の光線よりも、ビームスプリッタプリズム４のＲｓ（Ｓ偏光の反射率）を高くし、さらに好ましくは、光軸上の光線及び光ディスク１０１の内周側のファーフィールドパターンよりもビームスプリッタプリズム４のＲｓ（Ｓ偏光の反射率）を高くすることによって、光ディスク１０１からの反射光における光ディスク１０１の外周側からの成分を、この反射光の光軸付近の成分よりも多く光検出器９に導き、あるいは、反射光の光軸付近の成分及び光ディスク１０１の内周側からの成分よりも多く光検出器９に導くことにより、高いレベルのランドプリピット信号が得られ、ランドプリピット信号の特性が改善される。
【００５３】
なお、図５に示すように、光ディスク１０１の外周側のファーフィールドパターンと光ディスク１０１の内周側のファーフィールドパターンとでビームスプリッタプリズム４のＲｓ（Ｓ偏光の反射率）が異なると、ＰＤバランス（トラッキングエラー信号のオフセット）が増大することとなるので、これらのＲｓの変化は、ＰＤバランスの修正が可能な範囲内に留めることが望ましい。
【図面の簡単な説明】
【００５４】
【図１】本発明に係る光ピックアップの構成を示す側面図である。
【図２】前記光ピックアップにおいて、光ディスクの信号記録面上に形成される光スポットからの反射光の光検出器における受光スポットの形状、反射光のファーフィールドパターン及び信号記録面上における光スポットとグルーブとの位置関係を示す平面図である。
【図３】前記光ピックアップにおいて、光ディスクの未記録部における差動演算により検出されたウォブル信号とランドプリピット信号の波形を示す波形図である。
【図４】前記光ピックアップにおけるビームスプリッタプリズムの反射及び透過特性を示す側面図である。
【図５】前記光ピックアップにおいて、ビームスプリッタプリズムの反射率特性とランドプリピット信号の検出特性との関係を示すグラフである。
【図６】前記光ピックアップにおけるビームスプリッタプリズムの反射率の入射角に対する特性を示すグラフである。
【図７】前記光ピックアップにおけるランドプリピット信号のレベルの計算において非点収差を生じた光束の強度分布パターン及びランドプリピット信号を算出する回路を示すブロック図である。
【符号の説明】
【００５５】
１  「ＣＤ」用のレーザダイオード
２  「ＤＶＤ」用のレーザダイオード
４  ビームスプリッタプリズム
５  コリメータレンズ
７  対物レンズ
９  光検出器
１０１  光ディスク
【図１】
2007172713.tif 000003
【図２】
2007172713.tif 000004
【図３】
2007172713.tif 000005
【図４】
2007172713.tif 000006
【図５】
2007172713.tif 000007
【図６】
2007172713.tif 000008
【図７】
2007172713.tif 000009